(57)【要約】      （修正有）【課題】首まわりに美容パックをしたまま移動・家事作業ができ、薬を塗布してネックのある服が着られ、寝具を汚さないネックケア・マスクを提供する。【解決手段】美容化粧水を含ませた長方形の布を喉もとに固定するのに、包帯を巻くように首に巻き付けるために、本体の幅の布ひもを両方の端に付け首後ろで交差させ前まで回し喉の位置で固定する。この交差させるとき布ひもがねじれてしまうので、布ひもに切れ目を入れ片方を通して交差させることによりねじれを防ぐことができ、また、喉もとで固定することにより本体のパック布を首まわりに密着させることができる。この方法で喉に薬やクリーム状のものを塗布したとき、剥がれ落ちないようカバーすることができる。このように首用ケアマスクを使用することにより、日々の首まわりの手入れが簡単にでき首用マスクを装着したまま通常作業ができるので、美容パックのために時間に束縛されることがなくなる。【選択図】図１
0003159493.tif 000002
【実用新案登録請求の範囲】
【請求項１】
首回りの美容手入れで特に喉まわりに化粧水パックをするのに使用するもので、首の高さの幅で、喉から両耳の下までの長さの長方形の布に、首の後ろを回り前の喉の位置までくる長さの布を両端に付け、その布に反対側の耳下までの間切れ目を入れ、互いの布を首後ろで交差させる時その切れ目に片方を通し、両布をまわして前の喉の位置で固定する、喉にあてる部分の長方形の布に化粧水等をしみこませ美容パックに使用する、固定する布ひもに交差させるための切れ目があるのを特長とする、首まわり手入れ用マスク。
【請求項２】
請求項１の長方形の布の内側部分を、医薬品等のクリーム状のものを首まわりに塗布した上をカバーできるガーゼ状の布にして、表側に薬品がしみ出ないようにし、長時間塗布した薬品等が剥がれ落ちないようカバーする、布の両端を首の後ろで交差させる切れ目があり、喉の位置で固定するのを特長とする、首まわり保護用マスク。
【考案の詳細な説明】
【技術分野】
【０００１】首を覆うためのマスクで、マスク本体を首まわりに密着させる方法として、包帯のように首に巻き付けて固定する、一番密着度が高く装着も簡単な方法を考案した。
【背景技術】
【０００２】化粧水等含ませた布を、首の喉の位置に添って固定させるのに、その布の両端にひもを付け首後ろで結ぶのは髪の毛が邪魔で難しいが、ひもを前に回し喉の位置で固定する方法が一番容易だ。しかしひもだと首の高さ分のパック布を首まわりに密着させるのは困難でひものない部分が浮き上がってしまう。固定するひもをパック布本体の幅にすると密着が可能となる。その布ひもを首後ろで交差させるのに、布に切目を入れ片方をその切れ目に通し、前に回して固定することで、パック布も首に密着させることができ、固定用布ひもの交差も容易にできる。
【考案の開示】
【考案が解決しようとする課題】
【０００３】女性にとって老化によるしわは大敵だが、首を見ると年齢がわかるくらい一番にしわがでる。しかし日々の手入れの時首まわりは後回しになることが多く、美容パックも位置・形状的に自分自身でするのが困難だ。また、首まわりにクリーム状の薬を塗布したり湿布をすると服とか寝具に当たって薬が剥げ落ちてしまう。そこで美容パックをしたまま移動・家事作業ができ、薬を塗布してネックのある服が着られ、寝具を汚さないものを考案した。
【課題を解決するための手段】
【０００４】本考案は首まわりの美容パックを簡単にできるよう、喉まわりを覆う長方形の布を首に密着させる方法を考案した。首はよく動かす部位なのでパック布で覆うだけでは剥がれ落ちてしまう。美容化粧水を含ませた長方形の布を喉もとに固定するのに、包帯を巻くように首に巻き付けるために、本体の幅の布ひもを両方の端に付け首後ろで交差させ前まで回し喉の位置で固定する。この交差させるとき布ひもがねじれてしまうので、布ひもに切れ目を入れ片方を通して交差させることによりねじれを防ぐことができ、また、喉もとで固定することにより本体のパック布を首まわりに密着させることができる。この方法で喉に湿布やクリーム状ののものを塗布したとき、剥がれ落ちないようカバーすることができる。
【考案の効果】
【０００５】首も顔の続きなので手入れを怠ると早く老化してしまうので、顔の手入れと同じように日々気軽に首用マスクで美容パックして手入れができる。
【考案を実施するための最良の形態】
【０００６】喉から両耳下までのマスク部分で、美容パック用マスクは美容化粧水が浸透しやすい布を使用し、クリーム状薬や湿布のカバー用マスクは薬品等が浸透しにくい布を使用する。
【実施例】
【０００７】首はよく動かす部位なので、固定することによりパックのずれを防止することができるのと、密着するので化粧水の浸透効率がよい。
【図面の簡単な説明】
【０００８】
【図１】ネックケアマスクの姿図と装着した時の図
【図２】ネックケアマスクのひもを首後ろで交差させ喉の位置で固定する図
【図面の符号の説明】
【０００９】ａ    美容化粧水を浸透させるマスク本体
ｂ    マスクを喉の位置で固定する面ファスナー部分
ｃ    首後ろで固定用ひもを交差させるのに通す切れ目
【図１】
0003159493.tif 000003
【図２】
0003159493.tif 000004
【手続補正書】
【提出日】平成21年12月17日(2009.12.17)
【手続補正１】
【補正対象書類名】実用新案登録請求の範囲
【補正対象項目名】全文
【補正方法】変更
【補正の内容】
【実用新案登録請求の範囲】
【請求項１】
喉まわりの化粧水パックをするもので、喉もとから両耳下までの首を覆う大きさの化粧水を染込ませることができる不織布に、それを首に固定するための幅広の不織布のひもを付け首の後ろへ回し前の喉もとまでくる長さにし、その不織布のひもに反対側の耳下に届くまで切れ目を入れ、左右の不織布のひもを首後ろで交差させる時その切れ目に片方を通し、両方のひもを前の喉の位置まで回して面ファスナーで固定する、化粧水を染込ませることができる長方形の不織布に首に固定するための幅広の不織布のひもを付け、そのひもに交差させるための切れ目があるのを特徴とする、首まわり手入れ用マスク。
【請求項２】
喉まわりを保護するもので、喉もとから両耳下までの首を覆う大きさの長方形の布の内側を化粧水等染込ませることができる不織布にし、外側を化粧水等を浸透させない不織布にして、首まわりに化粧水・医薬品・クリーム状のものを塗布した時、その塗布したものが衣類に付着したり剥がれ落ちないようこの布で保護し、その２種類の不織布を合わせた首を覆う長方形の布を固定するために、両端に幅広の不織布のひもを首の後ろへ回し前の喉もとまでくる長さにし付け、その不織布のひもに反対側の耳下に届くまで切れ目を入れ、左右の不織布のひもを首後ろで交差させる時その切れ目に片方を通し、両方のひもを前の喉の位置まで回して面ファスナーで固定する、化粧水を浸透させる不織布・浸透させない不織布２種類を合わせた喉まわりを覆う大きさのものに、それを固定するための幅広の不織布のひもを付けたのを特徴とする首まわり保護用マスク。
【手続補正書】
【提出日】平成22年2月22日(2010.2.22)
【手続補正１】
【補正対象書類名】実用新案登録請求の範囲
【補正対象項目名】全文
【補正方法】変更
【補正の内容】
【実用新案登録請求の範囲】
【請求項１】
喉まわりの化粧水パックをするもので、喉もとから両耳下までの首を覆う大きさの化粧水を染込ませることができる長方形の不織布に、その布が折れたり浮いたりしないよう首に固定するための幅広の不織布のひもを首の後ろへ回し前の喉もとまでの長さにして両端に付け、その不織布のひもに反対側の耳下に届くまで切れ目を入れ左右のひもを首後ろで交差させる時、切れ目に片方を通し両方のひもを前の喉の位置まで回して面ファスナーで固定すると、化粧水パック中の喉もとの布が浮き上がるのを防ぐことができるのでパック中も生活活動ができる、化粧水を染込ませる長方形の不織布に首に固定するための幅広の不織布のひもを付け、そのひもに交差させるための切れ目があるのを特徴とする、首まわり手入れ用マスク。
【請求項２】
喉まわりの化粧水パックをするもので、喉もとから両耳下までの首を覆う大きさの化粧水を染込ませることができる長方形の不織布に、その外側に化粧水が染み出るのを防ぐビニール製のカバーを付け、首まわりの化粧水パック中に化粧水が衣類に付着したり寝具に付着しないようにし、そのカバー付パック布が折れたり浮いたりしないよう首に固定するための幅広の不織布のひもを両端につけ、首の後ろへ回し前の喉もとまでくる長さにし、その不織布のひもに反対側の耳下に届くまで切れ目を入れ、左右の不織布のひもを首後ろで交差させる時、その切れ目に片方を通し両方のひもを前の喉の位置まで回して面ファスナーで固定すると、化粧水パック中の喉もとの布が浮き上がるのを防ぐとともに衣類や寝具への付着を防ぐことができる、化粧水を染込ませる長方形の不織布に化粧水が染み出ないようビニールのカバーをして、それを首に固定するための幅広の不織布のひもを両端に付け、そのひもに交差させるための切れ目があるのを特徴とする、首まわり手入れ用マスク。